(57)【特許請求の範囲】
【請求項１】
送信電力を低下させる電力低下制御を含む省電力制御を基地局に実施させる制御装置において、
複数のセルに含まれる第一セルにおける、前記複数のセルに含まれ前記第一セルとは異なる第二セルとの重複部分の割合を示す重複情報を取得する取得部と、
前記取得部によって取得された重複情報が示す前記重複部分の割合に基づいて、前記第一セルの基地局に前記省電力制御を実施させるか否かを判断し、前記省電力制御を実施させると判断した基地局に前記省電力制御を実施させる制御部と、
を備えることを特徴とする制御装置。
【請求項２】
前記省電力制御には、前記電力低下制御を実施させた基地局の送信電力を増加させる電力増加制御が含まれることを特徴とする請求項１に記載の制御装置。
【請求項３】
前記取得部は、前記複数のセルの各範囲を示す範囲情報を取得し、取得した範囲情報に基づいて前記重複情報を導出することを特徴とする請求項１または２に記載の制御装置。
【請求項４】
前記取得部は、前記複数のセルの間の干渉の大きさを示す干渉情報を取得し、
前記制御部は、前記取得部によって取得された干渉情報および前記重複情報に基づいて前記省電力制御を実施させるか否かを判断することを特徴とする請求項１〜３のいずれか一つに記載の制御装置。
【請求項５】
送信電力を低下させる電力低下制御を含む省電力制御を基地局に実施させる制御方法において、
複数のセルに含まれる第一セルにおける、前記複数のセルに含まれ前記第一セルとは異なる第二セルとの重複部分の割合を示す重複情報を取得し、
取得された重複情報が示す前記重複部分の割合に基づいて、前記第一セルの基地局に前記省電力制御を実施させるか否かを判断し、前記省電力制御を実施させると判断した基地局に前記省電力制御を実施させることを特徴とする制御方法。
【発明の詳細な説明】
【技術分野】
【０００１】
本発明は、制御装置および制御方法に関する。
【背景技術】
【０００２】
従来、移動通信システムにおける基地局は、通信インフラとしての重要性からサービスエリアおよびサービス時間を損なわないように、常に電力および電波が供給されていた。これは、携帯電話が使用できない時間帯やエリアの発生をできるだけ避けるためである。このため、たとえばパソコンや家電品で実施されているような、使用者が少なくなったエリアの基地局（カードなどによって実現される基地局なども含む）の送信電力を一旦落として省電力化を図るという方法を適用することは困難であった。
【０００３】
これに対して、近年の省電力に対する移動通信キャリア各社の意識が向上し、また、同一エリアに対して複数の周波数帯や複数の通信方式でカバーされるケースが増加している。これにより、利用者（たとえば移動局）が少なくなったエリアをカバーしている通信方式や周波数のうち、一部のものを収容している基地局の電力を落として省電力化を図ることが許容できるようになってきている。これは、利用者が少なくなったエリアをカバーしている残りの通信方式や周波数でサービスをすることが可能なためである。
【０００４】
このように、利用者の減少などを契機として基地局の省電力化を実現する技術が知られている（たとえば、下記特許文献１，２参照。）。これらの技術においては、たとえば、在圏する利用者が０になったエリアを収容する基地局の電波や装置の電源をオフにする。また、これらの技術においては、たとえば、電波や装置の電源をオフにした後に利用者が増加したエリアの基地局の電波出力を再開したり増加させたりする。また、無線状態などにより電力を調整する技術が知られている（たとえば、下記特許文献３，４参照。）。
【先行技術文献】
【特許文献】
【０００５】
【特許文献１】特開平６−２４５２４９号公報
【特許文献２】特開２００９−４９４８５号公報
【特許文献３】特表２００８−５３６３６８号公報
【特許文献４】特開２００７−２９５３１８号公報
【発明の概要】
【発明が解決しようとする課題】
【０００６】
しかしながら、上述した従来技術では、省電力制御を行う際に、省電力制御によるサービス品質への影響が十分に考慮されていないため、省電力制御に伴ってサービス品質が低下するという問題がある。
【０００７】
開示の制御装置および制御方法は、上述した問題点を解消するものであり、省電力制御に伴うサービス品質の低下を抑えることを目的とする。
【課題を解決するための手段】
【０００８】
上述した課題を解決し、目的を達成するため、開示技術は、送信電力を低下させる電力低下制御を含む省電力制御を基地局に実施させる場合において、複数のセルの重複部分の大きさを示す重複情報を取得し、取得された重複情報に基づいて、前記複数のセルの少なくともいずれかの基地局について前記省電力制御を実施させるか否かを判断し、前記省電力制御を実施させると判断した基地局に前記省電力制御を実施させる。
【発明の効果】
【０００９】
開示の制御装置および制御方法によれば、省電力制御に伴うサービス品質の低下を抑えることができるという効果を奏する。
【図面の簡単な説明】
【００１０】
【図１】実施の形態にかかる通信システムを示す図である。
【図２】通信システムの具体例を示す図である。
【図３】基地局の構成例を示す図である。
【図４】基地局による処理の一例を示すフローチャートである。
【図５】基地局による省電力制御の実施判断の一例を示すフローチャートである。
【図６】基地局による情報提供処理の一例を示すフローチャートである。
【図７】基地局による省電力制御の処理の具体例１を示すフローチャートである。
【図８】基地局による省電力制御の処理の具体例２を示すフローチャートである。
【図９】基地局による省電力制御の処理の具体例３を示すフローチャートである。
【図１０】収集される各セルの情報の一例を示す図である。
【図１１】算出される重複割合および干渉度の一例を示す図である。
【図１２】通信システムの動作例１を示すシーケンス図である。
【図１３】通信システムの動作例２を示すシーケンス図である。
【発明を実施するための形態】
【００１１】
以下に添付図面を参照して、開示技術の好適な実施の形態を詳細に説明する。
【００１２】
（実施の形態）
（通信システムの構成）
図１は、実施の形態にかかる通信システムを示す図である。図１に示すように、実施の形態にかかる通信システム１００は、基地局１１１，１１２と、制御装置１３０と、を含んでいる。セル１２１，１２２は、それぞれ基地局１１１，１１２のセルである。基地局１１１は、セル１２１に接続している移動局（不図示）と無線通信を行う。基地局１１２は、セル１２２に接続している移動局と無線通信を行う。
【００１３】
また、たとえば、セル１２１，１２２は、規格や周波数などの通信方式が互いに異なる。そして、セル１２１，１２２は、互いの重複部分１２３（図の斜線部）を有する。重複部分１２３に位置する移動局は、セル１２１，１２２のいずれにも接続可能である。たとえば、重複部分１２３に位置してセル１２１に接続している移動局は、基地局１１１の電波送信を停止してもセル１２２へハンドオーバすることができる。
【００１４】
＜制御装置の構成例１＞
構成例１にかかる制御装置１３０は、取得部１３１と、制御部１３２と、を備えている。取得部１３１は、セル１２１，１２２の重複部分１２３の大きさ（たとえば面積）を示す重複情報を取得する。重複情報は、重複部分１２３の絶対的な大きさを示す情報であってもよいし、セル１２１またはセル１２２の大きさに対する重複部分１２３の相対的な大きさを示す情報（割合）であってもよい。
【００１５】
たとえば、取得部１３１は、セル１２１，１２２の各範囲を示す範囲情報を基地局１１１，１１２から取得する。または、範囲情報はあらかじめ制御装置１３０のメモリに記憶されており、取得部１３１はメモリに記憶された範囲情報を取得してもよい。たとえばセル１２１，１２２が円形であるとすると、範囲情報は、たとえばセル１２１，１２２のそれぞれの中心位置および半径を示す情報である。
【００１６】
セル１２１，１２２のそれぞれの中心位置は、たとえば基地局１１１，１１２のそれぞれの位置である。セル１２１，１２２のそれぞれの半径は、たとえば基地局１１１，１１２のそれぞれにあらかじめ設定されたセル１２１，１２２の半径である。たとえば、基地局１１１，１１２は、あらかじめ設定された半径をセル１２１，１２２の半径の目標値として、セル１２１，１２２の送信電力の初期値などを設定する。取得部１３１は、取得した範囲情報に基づいて重複情報を導出（たとえば算出）する。
【００１７】
または、制御装置１３０のメモリには、重複情報があらかじめ記憶されていてもよい。この場合は、取得部１３１は、メモリに記憶された重複情報を取得する。取得部１３１は、取得した重複情報を制御部１３２へ出力する。
【００１８】
制御部１３２は、セル１２１，１２２の少なくともいずれかの基地局に省電力制御を実施させるか否かを判断し、省電力制御を実施させると判断した基地局に省電力制御を実施させる。省電力制御には、基地局の送信電力を低下させる電力低下制御が含まれる。電力低下制御には、送信電力をゼロに低下させる制御（送信電力をオフにする制御）が含まれていてもよい。また、省電力制御には、過去に電力低下制御を実施させた基地局の送信電力を増加させる電力増加制御が含まれていてもよい。
【００１９】
たとえば、制御部１３２は、セル１２１，１２２のうちのいずれかのセルへの移動局の接続数を取得し、取得した接続数に基づいて省電力制御を実施すべきか否かを判断する。たとえば、制御部１３２は、接続数が所定値Ｔ１より低い場合は電力低下制御を実施すべきと判断し、接続数が所定値Ｔ１以上である場合は電力低下制御を実施すべきでないと判断する。また、制御部１３２は、接続数が所定値Ｔ２より低い場合は電力増加制御を実施すべきと判断し、接続数が所定値Ｔ２以上である場合は電力増加制御を実施すべきでないと判断する。所定値Ｔ２は、たとえば所定値Ｔ１より低い値である。
【００２０】
制御部１３２は、省電力制御を実施すべきと判断した場合に、取得部１３１から出力された重複情報に基づいて省電力制御を実施させるか否かを判断する。たとえば、制御部１３２は、重複部分１２３の大きさが所定値以上である場合に省電力制御を実施させ、重複部分１２３の大きさが所定値未満である場合に省電力制御を実施させない。または、制御部１３２は、重複情報に基づいて省電力制御の程度（送信電力の低下量や増加量など）を制御してもよい。
【００２１】
たとえば、制御部１３２は、セル１２１（第一セル）におけるセル１２２（第二セル）との重複部分１２３の割合を示す重複情報に基づいて、セル１２１（第一セル）の基地局１１１に省電力制御を実施させるか否かを判断する。これにより、たとえば、基地局１１１の電力低下制御によるサービス品質の低下をセル１２２によってカバー可能な程度に応じて、基地局１１１の電力低下制御を実施させることができる。このため、基地局１１１の電力低下制御によるサービス品質の低下を抑えることが可能になる。また、基地局１１１の電力増加制御によってセル１２２のサービスをカバー可能な程度に応じて、基地局１１１の電力増加制御を実施させることができる。このため、サービス品質を効率よく向上させるように基地局１１１の電力増加制御を実施させることが可能になる。
【００２２】
また、制御部１３２は、セル１２２（第一セル）におけるセル１２１（第二セル）との重複部分１２３の割合を示す重複情報に基づいて、セル１２２（第一セル）の基地局１１２の省電力制御を実施させるか否かを判断する。この場合は、基地局１１２の電力低下制御によるサービス品質の低下を抑えることが可能になる。また、サービス品質を効率よく向上させるように基地局１１２の電力増加制御を実施させることが可能になる。
【００２３】
なお、取得部１３１は、たとえば、制御部１３２によって省電力制御を実施すべきと判断された場合に重複情報を取得する。また、取得部１３１は、あらかじめ（たとえば周期的に）重複情報を取得しておいてもよい。
【００２４】
＜制御装置の構成例２＞
構成例２にかかる制御装置１３０において、構成例１にかかる制御装置１３０と同様の部分については説明を省略する。構成例２にかかる制御装置１３０の取得部１３１は、セル１２１，１２２の間の干渉の大きさを示す干渉情報を取得する。干渉情報は、たとえば、セル１２１からセル１２２への干渉の大きさを示す情報と、セル１２２からセル１２１への干渉の大きさを示す情報と、の少なくともいずれかを含む。
【００２５】
たとえば、取得部１３１は、基地局１１１，１１２による各送信電力を示す電力情報を基地局１１１，１１２から取得する。取得部１３１は、取得した電力情報に基づいて干渉情報を導出（たとえば算出）する。セル間の干渉の大きさは、被干渉側のセルの送信電力に対する干渉側のセルの送信電力の比率が高いほど大きくなる。
【００２６】
このため、たとえば、取得部１３１は、セル１２２の送信電力に対するセル１２１の送信電力の比率を算出することで、セル１２１からセル１２２への干渉の大きさを示す干渉情報を算出することができる。また、取得部１３１は、セル１２１の送信電力に対するセル１２２の送信電力の比率を算出することで、セル１２２からセル１２１への干渉の大きさを示す干渉情報を算出することができる。
【００２７】
また、取得部１３１は、基地局１１１，１１２による各送信周波数（使用周波数帯）を示す周波数情報を基地局１１１，１１２から取得してもよい。取得部１３１は、取得した周波数情報に基づいて干渉情報を導出（たとえば算出）する。セル間の干渉の大きさは、被干渉側のセルと干渉側のセルとの送信周波数の差分が小さいほど大きくなる。このため、たとえば、取得部１３１は、セル１２１，１２２の各送信周波数の差分が大きくなるほど小さくなる値（各送信周波数の差分の逆数）を算出することで、セル１２１とセル１２２との間の干渉の大きさを示す干渉情報を算出することができる。
【００２８】
また、取得部１３１は、電力情報に基づいて導出した干渉情報と、周波数情報に基づいて導出した干渉情報と、に基づく干渉情報を導出してもよい。たとえば、取得部１３１は、電力情報に基づいて導出した干渉情報と、周波数情報に基づいて導出した干渉情報（たとえば各送信周波数の差分の逆数）と、を乗算し、乗算した干渉情報を取得する。取得部１３１は、取得した干渉情報を制御部１３２へ出力する。
【００２９】
制御部１３２は、取得部１３１から出力された干渉情報に基づいて省電力制御を実施させるか否かを判断する。たとえば、制御部１３２は、干渉の大きさが所定値以下である場合に省電力制御を実施させ、干渉の大きさが所定値より高い場合に省電力制御を実施させない。また、制御部１３２は、セル１２１，１２２の中から相手への干渉の大きさが最小のセルを選択し、選択したセルの基地局に省電力制御を実施させてもよい。また、制御部１３２は、干渉情報に基づいて省電力制御の程度（送信電力の低下量や増加量など）を制御してもよい。
【００３０】
たとえば、制御部１３２は、セル１２１（第一セル）からセル１２２（第二セル）への干渉の大きさを示す干渉情報に基づいて、セル１２１（第一セル）の基地局１１１に省電力制御を実施させるか否かを判断する。これにより、たとえば、基地局１１１の電力低下制御によるセル１２２の被干渉状態の変動の程度に応じて基地局１１１の電力低下制御を実施させることができる。このため、基地局１１１の電力低下制御によるセル１２２の被干渉状態の変動を抑えることが可能になる。
【００３１】
また、基地局１１１の電力増加制御によるセル１２２の被干渉状態の変動の程度に応じて基地局１１１の電力増加制御を実施させることができる。このため、セル１２２の被干渉状態の変動を抑えつつ基地局１１１の電力増加制御を実施させることが可能になる。セル１２２の被干渉状態の変動を抑えることで、セル１２２の無線品質の変動による電力の増加やハンドオーバの多発などによる輻輳を回避することができる。このため、基地局１１１の省電力制御によるサービス品質の低下を抑えることが可能になる。
【００３２】
また、制御部１３２は、セル１２２（第一セル）からセル１２１（第二セル）への干渉の大きさを示す干渉情報に基づいて、セル１２２（第一セル）の基地局１１２に省電力制御を実施させるか否かを判断する。この場合は、基地局１１２の電力低下制御によるセル１２１の被干渉状態の変動を抑えることが可能になる。また、セル１２１の被干渉状態の変動を抑えつつ基地局１１２の電力増加制御を実施させることが可能になる。セル１２１の被干渉状態の変動を抑えることで、セル１２１の無線品質の変動による電力の増加やハンドオーバの多発などによる輻輳を回避することができる。このため、基地局１１１の省電力制御によるサービス品質の低下を抑えることが可能になる。
【００３３】
なお、取得部１３１は、たとえば、制御部１３２によって省電力制御を実施すべきと判断された場合に干渉情報を取得する。また、取得部１３１は、あらかじめ（たとえば周期的に）干渉情報を取得しておいてもよい。
【００３４】
＜制御装置の構成例３＞
構成例３にかかる制御装置１３０において、構成例１または構成例２にかかる制御装置１３０と同様の部分については説明を省略する。構成例３にかかる制御装置１３０は、構成例１および構成例２にかかる制御装置１３０を組み合わせた構成例である。構成例３にかかる制御装置１３０の取得部１３１は、重複情報および干渉情報を取得する。取得部１３１は、取得した重複情報および干渉情報を制御部１３２へ出力する。
【００３５】
制御部１３２は、取得部１３１から出力された重複情報および干渉情報に基づいて省電力制御を実施させるか否かを判断する。たとえば、制御部１３２は、セル１２１，１２２の中から重複情報に基づいてセルを抽出する。さらに、制御部１３２は、抽出したセルの中から干渉情報に基づいてセルを選択する。そして、制御部１３２は、選択したセルの基地局に省電力制御を実施させる。
【００３６】
これにより、基地局１１１の電力低下制御によるサービス品質の低下をセル１２２によってカバー可能な程度と、基地局１１１の電力低下制御によるセル１２２の被干渉状態の変動の程度と、に基づいて基地局１１１の電力低下制御を実施させることができる。このため、基地局１１１の電力低下制御によるサービス品質の低下をさらに効果的に抑えることが可能になる。また、基地局１１２の電力低下制御によるサービス品質の低下をセル１２１によってカバー可能な程度と、基地局１１２の電力低下制御によるセル１２１の被干渉状態の変動の程度と、に基づいて基地局１１２の電力低下制御を実施させることができる。このため、基地局１１２の電力低下制御によるサービス品質の低下をさらに効果的に抑えることが可能になる。
【００３７】
また、基地局１１１の電力増加制御によってセル１２２のサービスをカバー可能な程度と、基地局１１１の電力増加制御によるセル１２２の被干渉状態の変動の程度と、に基づいて基地局１１１の電力増加制御を実施させることができる。このため、基地局１１１の電力増加制御によるサービス品質の低下をさらに効果的に抑えることが可能になる。また、基地局１１２の電力増加制御によってセル１２１のサービスをカバー可能な程度と、基地局１１２の電力増加制御によるセル１２１の被干渉状態の変動の程度と、に基づいて基地局１１２の電力増加制御を実施させることができる。このため、基地局１１２の電力増加制御によるサービス品質の低下をさらに効果的に抑えることが可能になる。
【００３８】
図１においては通信システム１００に２つのセル（セル１２１，１２２）が含まれる場合について説明したが、通信システム１００に３つ以上のセルが含まれていてもよい。制御装置１３０は、基地局１１１，１１２とは別に設けられた装置であってもよいし、基地局１１１，１１２の少なくともいずれかに設けられた装置であってもよい。基地局１１１，１１２とは別に設けられた装置は、たとえば、基地局１１１，１１２の上位の通信装置（たとえばＳｅｒｖｉｎｇ−ＧａｔｅＷａｙなど）である。
【００３９】
図１に示した取得部１３１および制御部１３２は、たとえば、ＤＳＰ（Ｄｉｇｉｔａｌ  Ｓｉｇｎａｌ  Ｐｒｏｃｅｓｓｏｒ）などの演算手段や通信インターフェースなどによって実現することができる。取得部１３１および制御部１３２は、互いに同一の演算手段や通信インターフェースなどによって実現されてもよいし、互いに異なる演算手段や通信インターフェースなどによって実現されてもよい。
【００４０】
図２は、通信システムの具体例を示す図である。図２に示す通信システム２００においては、移動通信システム２１０，２２０が混在している。移動通信システム２１０，２２０は、互いに規格や周波数などの通信方式が異なる移動通信システムである。移動通信システム２１０，２２０のそれぞれはコアネットワーク２０１に接続されている。
【００４１】
移動通信システム２１０は、基地局２１１〜２１３を含んでいる。セル２１４〜２１６は、それぞれ基地局２１１〜２１３のセルである。基地局２１１〜２１３のそれぞれは、自局のセルに接続した移動局と無線通信を行い、移動局とコアネットワーク２０１との間で送受信されるデータを中継する。
【００４２】
移動通信システム２２０は、基地局２２１〜２２３を含んでいる。セル２２４〜２２６は、それぞれ基地局２２１〜２２３のセルである。基地局２２１〜２２３のそれぞれは、自局のセルに接続した移動局と無線通信を行い、移動局とコアネットワーク２０１との間で送受信されるデータを中継する。
【００４３】
図１に示した基地局１１１，１１２は、基地局２１１〜２１３，２２１〜２２３の少なくともいずれかに適用することができる。図１に示した制御装置１３０は、基地局２１１〜２１３，２２１〜２２３の少なくともいずれかに適用することができる。
【００４４】
（基地局の構成）
図３は、基地局の構成例を示す図である。図３に示す基地局３００は、図２に示した基地局２１１〜２１３，２２１〜２２３の少なくともいずれかに適用することができる。基地局３００は、交換機側インターフェース部３１０と、交換機側プロトコル終端部３２０と、無線側プロトコル変換部３３０と、無線側インターフェース部３４０と、呼制御部３５０と、省電力制御部３６０と、を備えている。
【００４５】
交換機側インターフェース部３１０は、交換機や他の基地局とデータの送受信を行う通信インターフェースである。交換機側インターフェース部３１０は、たとえばＥｔｈｅｒｎｅｔ（登録商標）などのインターフェースによって実現される。交換機側プロトコル終端部３２０は、交換機側インターフェース部３１０を介して、交換機や他の基地局との通信プロトコルを終端する。交換機側プロトコル終端部３２０は、たとえばＮＷＰ（ＮｅｔＷｏｒｋ  Ｐｒｏｃｅｓｓｏｒ：ネットワークプロセッサ）およびメモリによるソフトウェア処理によって実現される。
【００４６】
無線側プロトコル変換部３３０は、交換機側のプロトコルと、無線側のプロトコルと、を相互に変換する。無線側プロトコル変換部３３０は、たとえばＤＳＰおよびメモリによるソフトウェア処理によって実現される。無線側インターフェース部３４０は、無線側（たとえば移動局）とデータの送受信を行う通信インターフェースである。無線側インターフェース部３４０は、たとえば、信号を増幅するアンプや、信号を無線により送受信するアンテナなどを含む。
【００４７】
呼制御部３５０は、交換機側プロトコル終端部３２０および無線側プロトコル変換部３３０を介する通信により、無線側インターフェース部３４０との間で無線通信を行う移動局（ユーザ）の呼接続を制御する。たとえば、呼制御部３５０は、呼接続のための信号の送受信やリソースの管理を行う。呼制御部３５０は、たとえばＣＰＵおよびメモリによるソフトウェア処理によって実現される。
【００４８】
省電力制御部３６０は、省電力化のためのセルの省電力制御を制御する。セルの省電力制御には、制御対象セルの基地局（たとえば基地局３００）の送信電力を低下（停止を含んでもよい）させる電力低下制御や、送信電力を低下させた基地局の送信電力を増加させる電力増加制御などが含まれる。具体的には、省電力制御部３６０は、実施判断部３６１と、情報収集／提供部３６２と、省電力制御実施部３６３と、を備えている。
【００４９】
実施判断部３６１は、基地局３００が収容している各セルについて、移動局からのアクセス状況などに基づいて、省電力制御を実施すべきか否かを判断する（たとえば図５参照）。実施判断部３６１は、省電力制御を実施すべきと判断すると、情報収集／提供部３６２に対して省電力制御の実施の判断のための情報収集を指示する。
【００５０】
情報収集／提供部３６２は、実施判断部３６１から情報収集を指示されると、省電力制御を実施すべきと判断された対象セルと、対象セルの近隣セルと、の各情報を収集する。セルの各情報は、中心位置、半径、送信電力、送信周波数などである。たとえば、情報収集／提供部３６２は、基地局３００のメモリから対象セルの各情報を取得する。また、情報収集／提供部３６２は、交換機側プロトコル終端部３２０および交換機側インターフェース部３１０を介した通信により、近隣セルの基地局から近隣セルの各情報を収集する。
【００５１】
情報収集／提供部３６２は、収集した各情報を省電力制御実施部３６３へ出力する。また、情報収集／提供部３６２は、交換機側プロトコル終端部３２０および交換機側インターフェース部３１０を介した通信により、他の基地局からの要求にしたがって、基地局３００が収容しているセルの各情報を提供する。
【００５２】
省電力制御実施部３６３は、情報収集／提供部３６２から出力された各情報に基づいて、基地局３００による省電力制御を実施し、または近隣セルを収容する基地局に省電力制御を実施させる。省電力制御実施部３６３は、自局の省電力制御を実施する場合は、たとえば無線側インターフェース部３４０のアンプなどを制御することによって送信電力を低下または増加させる。
【００５３】
省電力制御実施部３６３は、近隣セルを収容する基地局に省電力制御を実施させる場合は、交換機側プロトコル終端部３２０および交換機側インターフェース部３１０を介した通信により、近隣セルを収容する基地局へ省電力制御依頼信号を送信する。また、省電力制御実施部３６３は、交換機側プロトコル終端部３２０および交換機側インターフェース部３１０を介した通信により他の基地局からの省電力制御依頼信号を受信した場合は、基地局３００による省電力制御を実施する。
【００５４】
省電力制御部３６０は、ＣＰＵおよびメモリによるソフトウェア処理によって実現される。また、省電力制御部３６０は、呼制御部３５０と同じプロセッサによって実現されてもよいし、呼制御部３５０と異なるプロセッサによって実現されてもよい。
【００５５】
（基地局による処理）
図４は、基地局による処理の一例を示すフローチャートである。基地局３００は、たとえば、自局の各セルを対象セルとして、図４に示す各ステップを繰り返し実行する。まず、実施判断部３６１が、省電力制御を実施すべきか否かを判断する（ステップＳ４０１）。省電力制御には、送信電力を低下（停止を含む）させる電力低下制御と、送信電力を増加させる電力増加制御と、が含まれる。ステップＳ４０１の具体例については後述する。
【００５６】
ステップＳ４０１において省電力制御を実施すべきでないと判断された場合（ステップＳ４０１：Ｎｏ）は、基地局３００は、ステップＳ４０１へ戻る。省電力制御を実施すべきと判断された場合（ステップＳ４０１：Ｙｅｓ）は、情報収集／提供部３６２が、対象セルの近隣セルを検索する（ステップＳ４０２）。たとえば、情報収集／提供部３６２は、対象セルとの間で互いに移動局をハンドオーバさせる各セルを近隣セルとして検出する。対象セルとの間で互いに移動局をハンドオーバさせる各セルは、たとえば、ハンドオーバに備えて基地局３００のメモリに記憶されている。
【００５７】
つぎに、情報収集／提供部３６２が、ステップＳ４０２によって検索された近隣セルを収容する基地局へ情報提供要求信号を送信する（ステップＳ４０３）。ステップＳ４０３によって送信される情報提供要求信号には、対象セルを示す対象セル情報が含まれている。つぎに、情報収集／提供部３６２が、ステップＳ４０３によって送信された情報提供要求信号に対する情報提供応答信号を受信したか否かを判断し（ステップＳ４０４）、情報提供応答信号が受信されるまで待つ（ステップＳ４０４：Ｎｏのループ）。
【００５８】
ステップＳ４０４において情報提供応答信号が受信されると（ステップＳ４０４：Ｙｅｓ）、省電力制御実施部３６３が、受信した情報提供応答信号に基づいて、対象セルと各近隣セルとの各組み合わせにおける重複割合を算出する（ステップＳ４０５）。対象セルと各近隣セルとの各組み合わせにおける重複割合には、たとえば、対象セルにおける各近隣セルとの各重複割合と、各近隣セルにおける対象セルとの各重複割合と、が含まれる。
【００５９】
つぎに、省電力制御実施部３６３が、ステップＳ４０４において受信された情報提供応答信号に基づいて、対象セルと各近隣セルとの各組み合わせにおける干渉度を算出する（ステップＳ４０６）。対象セルと各近隣セルとの各組み合わせにおける干渉度には、たとえば、対象セルにおける各近隣セルからの各干渉度と、各近隣セルにおける対象セルからの各干渉度と、が含まれる。つぎに、省電力制御実施部３６３が、ステップＳ４０５によって算出された重複割合が閾値以上の組み合わせがあるか否かを判断する（ステップＳ４０７）。重複割合が閾値以上の組み合わせがない場合（ステップＳ４０７：Ｎｏ）は、基地局３００は、一連の処理を終了する。
【００６０】
ステップＳ４０７において、重複割合が閾値以上の組み合わせがある場合（ステップＳ４０７：Ｙｅｓ）は、省電力制御実施部３６３が、重複割合が閾値以上の組み合わせのうちの、ステップＳ４０６によって算出された干渉度が閾値以下の組み合わせがあるか否かを判断する（ステップＳ４０８）。干渉度が閾値以下の組み合わせがある場合（ステップＳ４０８：Ｙｅｓ）は、省電力制御実施部３６３が、重複割合が閾値以上で干渉度が閾値以下の組み合わせをすべて選択し（ステップＳ４０９）、ステップＳ４１１へ移行する。
【００６１】
ステップＳ４０８において、干渉度が閾値以下の組み合わせがない場合（ステップＳ４０８：Ｎｏ）は、省電力制御実施部３６３が、干渉度が最小の組み合わせを選択し（ステップＳ４１０）、ステップＳ４１１へ移行する。つぎに、省電力制御実施部３６３が、ステップＳ４０９またはステップＳ４１０によって選択された組み合わせにおけるセルの基地局に省電力制御を実施させ（ステップＳ４１１）、一連の処理を終了する。
【００６２】
図４に示した各ステップにより、他セルとの重複割合が閾値以上のセルのうちの、他の基地局からの干渉度が低い（たとえば閾値以下）のセルの基地局の省電力制御を行うことができる。これにより、たとえば、電力低下制御によるサービス品質の低下を抑えつつ、電力低下制御による干渉の変動を抑えることが可能になる。また、サービス品質を効率よく向上させ、かつ干渉の変動を抑えつつ電力増加制御を実施させることが可能になる。
【００６３】
図５は、基地局による省電力制御の実施判断の一例を示すフローチャートである。省電力制御実施部３６３は、たとえば図４に示したステップＳ４０１において、たとえば図５に示す各ステップを実行することによって省電力制御を実施するか否かを判断する。まず、省電力制御実施部３６３は、自局のセルに収容（アクセス）している移動局の数（接続数）を取得する（ステップＳ５０１）。
【００６４】
つぎに、省電力制御実施部３６３は、ステップＳ５０１によって取得された移動局の数が閾値ＴＨ１より低いか否かを判断する（ステップＳ５０２）。移動局の数が閾値ＴＨ１より低い場合（ステップＳ５０２：Ｙｅｓ）は、省電力制御実施部３６３は、電力低下制御を実施すると判断し（ステップＳ５０３）、一連の処理を終了する。
【００６５】
ステップＳ５０２において、移動局の数が閾値ＴＨ１より低くない場合（ステップＳ５０２：Ｎｏ）は、省電力制御実施部３６３は、移動局の数が閾値ＴＨ２（＞ＴＨ１）より高いか否かを判断する（ステップＳ５０４）。移動局の数が閾値ＴＨ２より高い場合（ステップＳ５０４：Ｙｅｓ）は、省電力制御実施部３６３は、電力増加制御を実施すると判断し（ステップＳ５０５）、一連の処理を終了する。
【００６６】
ステップＳ５０４において、移動局の数が閾値ＴＨ２より高くない場合（ステップＳ５０４：Ｎｏ）は、省電力制御実施部３６３は、省電力制御を実施しないと判断し（ステップＳ５０６）、一例の処理を終了する。図５に示した各ステップにより、省電力制御実施部３６３は、省電力制御を実施するか否かと、省電力制御を実施する場合は省電力制御の内容と、を判断することができる。
【００６７】
図６は、基地局による情報提供処理の一例を示すフローチャートである。基地局３００の情報収集／提供部３６２は、たとえば図６に示す各ステップを繰り返し実施する。まず、情報収集／提供部３６２は、他の基地局から情報提供要求信号を受信したか否かを判断し（ステップＳ６０１）、情報提供要求信号が受信されるまで待つ（ステップＳ６０１：Ｎｏのループ）。
【００６８】
ステップＳ６０１において情報提供要求信号を受信すると（ステップＳ６０１：Ｙｅｓ）、情報収集／提供部３６２は、情報提供要求信号に含まれる対象セル情報が示す対象セルの近隣セルを、自局が収容する各セルの中から検索する（ステップＳ６０２）。たとえば、情報収集／提供部３６２は、自局が収容する各セルのうちの、対象セルとの間で互いに移動局をハンドオーバさせる各セルを近隣セルとして検出する。対象セルとの間で互いに移動局をハンドオーバさせる各セルは、たとえば、ハンドオーバに備えて基地局３００のメモリに記憶されている。
【００６９】
つぎに、情報収集／提供部３６２は、ステップＳ６０２によって検索された近隣セルの各情報（たとえば範囲情報、周波数情報および電力情報）を取得する（ステップＳ６０３）。つぎに、情報収集／提供部３６２は、ステップＳ６０３によって取得された各情報を含む情報提供応答信号を、ステップＳ６０１において受信した情報提供要求信号の送信元の基地局へ送信し（ステップＳ６０４）、一連の処理を終了する。
【００７０】
図６に示した各ステップにより、情報収集／提供部３６２は、他の基地局からの情報提供要求信号を受信した場合に、情報提供要求信号が示す近隣セルの各情報を含む情報提供応答信号を返送することができる。
【００７１】
図７は、基地局による省電力制御の処理の具体例１を示すフローチャートである。省電力制御実施部３６３は、たとえば図４に示したステップＳ４１１において、図７に示す各ステップを実行する。まず、省電力制御実施部３６３は、省電力制御を実施するセルが自局のセルか否かを判断する（ステップＳ７０１）。
【００７２】
ステップＳ７０１において、省電力制御を実施するセルが自局のセルでない場合（ステップＳ７０１：Ｎｏ）は、省電力制御実施部３６３は、省電力制御を実施するセルを収容する基地局へ省電力制御依頼信号を送信し（ステップＳ７０２）、一連の処理を終了する。省電力制御依頼信号には、省電力制御の対象セルおよび省電力制御の内容を示す制御情報が含まれる。
【００７３】
ステップＳ７０１において、省電力制御を実施するセルが自局のセルである場合（ステップＳ７０１：Ｙｅｓ）は、省電力制御実施部３６３は、省電力制御を実施するセルに接続している移動局があるか否かを判断する（ステップＳ７０３）。省電力制御を実施するセルに接続している移動局がない場合（ステップＳ７０３：Ｎｏ）は、省電力制御実施部３６３は、ステップＳ７０５へ移行する。
【００７４】
ステップＳ７０３において、省電力制御を実施するセルに接続している移動局がある場合（ステップＳ７０３：Ｙｅｓ）は、省電力制御実施部３６３は、省電力制御を実施するセルに接続している移動局を他の基地局へハンドオーバさせる（ステップＳ７０４）。つぎに、省電力制御実施部３６３は、省電力制御を実施し（ステップＳ７０５）、一連の処理を終了する。図７に示した各ステップにより、省電力制御実施部３６３は、自局のセルの省電力制御を実施し、または他の基地局に省電力制御を実施させることができる。
【００７５】
また、省電力制御実施部３６３は、自局のセルの省電力制御を実施する場合に、自局のセルに接続している移動局を他の基地局へハンドオーバさせた後に省電力制御を実施する。これにより、たとえば省電力制御として電力低下制御を行う場合に、自局に接続している移動局の通信が電力低下制御によって強制的に切断されることを回避することができる。なお、実施する省電力制御が電力増加制御である場合は、自局のセルに接続している移動局の他の基地局へのハンドオーバは行わなくてもよい。
【００７６】
図８は、基地局による省電力制御の処理の具体例２を示すフローチャートである。省電力制御実施部３６３は、たとえば図８に示す各ステップを繰り返し実施する。まず、省電力制御実施部３６３は、他の基地局からの省電力制御依頼信号を受信したか否かを判断し（ステップＳ８０１）、省電力制御依頼信号が受信されるまで待つ（ステップＳ８０１：Ｎｏのループ）。省電力制御依頼信号が受信されると（ステップＳ８０１：Ｙｅｓ）、省電力制御実施部３６３は、ステップＳ８０２へ移行する。
【００７７】
図８に示すステップＳ８０２〜Ｓ８０４は、図７に示したステップＳ７０３〜Ｓ７０５と同様である。ただし、ステップＳ８０４においては、省電力制御実施部３６３は、ステップＳ８０１において受信された省電力制御依頼信号に含まれる制御情報にしたがって省電力制御を実施する。ステップＳ８０４のつぎに、省電力制御実施部３６３は、ステップＳ８０１において受信した省電力制御依頼信号の送信元の基地局へ省電力制御応答信号を送信し（ステップＳ８０５）、一連の処理を終了する。
【００７８】
ステップＳ８０５において、省電力制御実施部３６３は、ステップＳ８０４による省電力制御が正常に実施された場合は、省電力制御が正常に実施された旨のＯＫ応答信号を送信する。一方、ステップＳ８０５において、省電力制御実施部３６３は、ステップＳ８０４による省電力制御が正常に実施されなかった場合は、省電力制御が正常に実施されなかった旨のＮＧ応答信号を送信する。
【００７９】
図９は、基地局による省電力制御の処理の具体例３を示すフローチャートである。省電力制御実施部３６３は、自局の省電力制御を実施する場合に、たとえば図９に示す各ステップを実行する。省電力制御実施部３６３は、起動してから一定期間を計時して終了する競合防止タイマを有する。まず、省電力制御実施部３６３は、競合防止タイマが起動中であるか否かを判断する（ステップＳ９０１）。
【００８０】
ステップＳ９０１において、競合防止タイマが起動中でない場合（ステップＳ９０１：Ｎｏ）は、省電力制御実施部３６３は、競合防止タイマを起動する（ステップＳ９０２）。つぎに、省電力制御実施部３６３は、自局の省電力制御を実施する（ステップＳ９０３）。つぎに、ステップＳ９０３によって実施された省電力制御が、省電力制御依頼信号に基づく省電力制御か否かを判断する（ステップＳ９０４）。
【００８１】
ステップＳ９０４において、自局の判断に基づく省電力制御である場合（ステップＳ９０４：Ｎｏ）は、省電力制御実施部３６３は、一連の処理を終了する。省電力制御依頼信号に基づく省電力制御である場合（ステップＳ９０４：Ｙｅｓ）は、省電力制御実施部３６３は、省電力制御依頼信号の送信元の基地局へＯＫ応答信号を送信し（ステップＳ９０５）、一連の処理を終了する。
【００８２】
ステップＳ９０１において、競合防止タイマが起動中である場合（ステップＳ９０１：Ｙｅｓ）は、省電力制御実施部３６３は、実施すべき省電力制御が省電力制御依頼信号に基づく省電力制御か否かを判断する（ステップＳ９０６）。実施すべき省電力制御が自局の判断に基づく省電力制御である場合（ステップＳ９０６：Ｎｏ）は、省電力制御実施部３６３は、一連の処理を終了する。
【００８３】
ステップＳ９０６において、省電力制御依頼信号に基づく省電力制御である場合（ステップＳ９０６：Ｙｅｓ）は、省電力制御実施部３６３は、省電力制御依頼信号に含まれる制御情報が示す内容と同じ省電力制御を実施済みであるか否かを判断する（ステップＳ９０７）。具体的には、省電力制御実施部３６３は、起動中の競合防止タイマが、省電力制御依頼信号に含まれる制御情報が示す内容と同じ省電力制御に起因して起動したか否かを判断する。制御情報が示す省電力制御の内容は、たとえば、省電力制御を実施するセルと、実施する省電力制御の種別（電力低下制御または電力増加制御）と、である。
【００８４】
ステップＳ９０７において同じ省電力制御を実施済みである場合（ステップＳ９０７：Ｙｅｓ）は、省電力制御実施部３６３は、省電力制御依頼信号の送信元の基地局へＯＫ応答信号を送信し（ステップＳ９０８）、一連の処理を終了する。同じ省電力制御を実施済みでない場合（ステップＳ９０７：Ｎｏ）は、省電力制御実施部３６３は、省電力制御依頼信号の送信元へＮＧ応答信号を送信し（ステップＳ９０９）、一連の処理を終了する。
【００８５】
図９に示した各ステップにより、省電力制御実施部３６３は、自局の省電力制御を実施してから一定の期間は、自局の省電力制御を再度実施しないようにすることができる。これにより、たとえば、同一の基地局に対して複数の制御装置１３０が異なる種別の各省電力制御（たとえば電力低下制御および電力増加制御）の実施を指示した場合に、基地局が異なる種別の各省電力制御を連続して実施することを回避することができる。このため、通信システム１００の安定性を向上させることができる。
【００８６】
（セルの情報の例）
図１０は、収集される各セルの情報の一例を示す図である。図１０に示すテーブル１０００は、情報収集／提供部３６２が収集する近隣セルの各情報および対象セル（自局のセル）の各情報の一例を示している。ここでは、近隣セルとして近隣セル＃１，＃２の各情報を収集したとする。テーブル１０００は、各セルについて、中心位置と、半径と、基地局の送信周波数と、基地局の送信電力と、を含んでいる。
【００８７】
中心位置は、セルを収容する基地局の緯度および経度の組み合わせである。半径は、セルを収容する基地局に設定されたセルの半径である。基地局の送信周波数は、セルを収容する基地局が送信する信号の周波数である。基地局の送信電力は、セルを収容する基地局が送信する信号の電力である。
【００８８】
図１１は、算出される重複割合および干渉度の一例を示す図である。図１１に示すテーブル１１００は、省電力制御実施部３６３が図１０に示したテーブル１０００に基づいて算出した重複割合および干渉度の算出結果の一例を示している。テーブル１１００は、組み合わせｐ１〜ｐ４を含んでいる。組み合わせｐ１〜ｐ４のそれぞれは、第一セルと第二セルとの組み合わせにおける重複割合および干渉度（干渉の大きさ）を示している。重複割合は、第一セルにおける第二セルとの重複割合を示している。干渉度は、第一セルにおける第二セルからの干渉度を示している。
【００８９】
組み合わせｐ１は、対象セルを第一セルとし、近隣セル＃１を第二セルとした場合の重複度および干渉度を示している。組み合わせｐ２は、対象セルを第一セルとし、近隣セル＃２を第二セルとした場合の重複度および干渉度を示している。組み合わせｐ３は、近隣セル＃１を第一セルとし、対象セルを第二セルとした場合の重複度および干渉度を示している。組み合わせｐ４は、近隣セル＃２を第一セルとし、対象セルを第二セルとした場合の重複度および干渉度を示している。
【００９０】
まず、省電力制御実施部３６３による重複割合の算出について説明する。省電力制御実施部３６３は、たとえば、第一セルおよび第二セルの各範囲情報（中心位置および半径）に基づいて第一セルと第二セルとの重複部分の面積を算出する。そして、省電力制御実施部３６３は、算出した面積を第一セルの面積で除算することによって第一セルにおける第二セルとの重複割合を算出することができる。第一セルの面積は、たとえば第一セルの範囲情報に含まれる半径によって算出される。
【００９１】
つぎに、省電力制御実施部３６３による干渉度の算出について説明する。省電力制御実施部３６３は、たとえば、第一セルおよび第二セルとの各送信周波数の差分（絶対値）を算出することによって、第一セルにおける第二セルからの干渉度を算出してもよい。または、省電力制御実施部３６３は、第一セルの送信電力に対する第二セルの送信電力の比率を算出することによって、第一セルにおける第二セルからの干渉度を算出してもよい。
【００９２】
または、省電力制御実施部３６３は、第一セルおよび第二セルとの各送信周波数の差分（絶対値）と、第一セルの送信電力に対する第二セルの送信電力の比率と、に基づいて第一セルにおける第二セルからの干渉度を算出してもよい。たとえば、省電力制御実施部３６３は、第一セルおよび第二セルとの各送信周波数の差分の逆数と、第一セルの送信電力に対する第二セルの送信電力の比率と、を乗算した値を第一セルにおける第二セルからの干渉度として算出する。
【００９３】
省電力制御実施部３６３は、組み合わせｐ１〜ｐ４のうちの、重複割合が閾値ＴＨ３以上の組み合わせを抽出する。ここでは重複割合の閾値ＴＨ３を７０［％］とする。この場合は、省電力制御実施部３６３は、重複割合が閾値ＴＨ３以上の組み合わせとして組み合わせｐ１，ｐ２，ｐ４を抽出する。
【００９４】
また、省電力制御実施部３６３は、抽出した各組み合わせの少なくとも一部を干渉度に基づいて選択する。たとえば、省電力制御実施部３６３は、抽出した各組み合わせのうちの干渉度が閾値ＴＨ４以下のすべての組み合わせを選択する。また、省電力制御実施部３６３は、抽出した各組み合わせのうちの干渉度が最小の組み合わせを選択してもよい。
【００９５】
また、省電力制御実施部３６３は、抽出した各組み合わせのうちの干渉度が閾値ＴＨ４以下のすべての組み合わせを選択し、干渉度が閾値ＴＨ４以下の組み合わせが存在しない場合に、抽出した各組み合わせのうちの干渉度が最小の組み合わせを選択してもよい。ここでは、省電力制御実施部３６３は、抽出した各組み合わせのうちの干渉度が閾値ＴＨ４＝０．５以下のすべての組み合わせを選択するとする。この場合は、省電力制御実施部３６３は、干渉度が閾値ＴＨ４以下の組み合わせとして組み合わせｐ２を選択する。
【００９６】
省電力制御実施部３６３は、選択した組み合わせにおける第一セルの基地局に省電力制御を実施させる。たとえば、省電力制御実施部３６３は、組み合わせｐ２を選択した場合は、組み合わせｐ２の第一セルである対象セルの基地局の省電力制御を実施する。対象セルの基地局は、省電力制御実施部３６３の自局である。
【００９７】
なお、各組み合わせの第二セルを一つとして重複割合および干渉度を算出する場合について説明したが、各組み合わせの第二セルを複数にして重複割合および干渉度を算出してもよい。たとえば、省電力制御実施部３６３は、対象セルを第一セルとし、近隣セル＃１，＃２を第二セルとする組み合わせや、近隣セル＃１を第一セルとし、対象セルと近隣セル＃２を第二セルとする組み合わせなどを含むテーブル１１００を生成する。
【００９８】
対象セルを第一セルとし、近隣セル＃１，＃２を第二セルとする組み合わせは、第一セルにおける近隣セル＃１，＃２の少なくともいずれかとの重複割合と、第一セルにおける近隣セル＃１，＃２からの各干渉度の合計と、を示す。近隣セル＃１を第一セルとし、対象セルと近隣セル＃２を第二セルとする組み合わせは、近隣セル＃１における対象セルと近隣セル＃２の少なくともいずれかとの重複割合と、近隣セル＃１における対象セルと近隣セル＃２からの各干渉度の合計と、を示す。
【００９９】
（通信システムの動作）
図１２は、通信システムの動作例１を示すシーケンス図である。図１２に示す基地局１２０１〜１２０３は、たとえば互いに異なる移動通信システムの基地局である。基地局１２０１〜１２０３のそれぞれには図３に示した基地局３００が適用されている。また、基地局１２０１は、基地局１２０２および基地局１２０３との間でそれぞれセルの重複部分を有するとする。まず、基地局１２０１が、自局のセルへのアクセス状態などに基づいて、省電力制御を実施すると判断したとする（ステップＳ１２０１）。
【０１００】
つぎに、基地局１２０１が、情報収集要求信号を基地局１２０２および基地局１２０３へ送信する（ステップＳ１２０２）。つぎに、基地局１２０２および基地局１２０３が、ステップＳ１２０２によって送信された情報収集要求信号に対する情報収集応答信号を基地局１２０１へ送信する（ステップＳ１２０３）。
【０１０１】
つぎに、基地局１２０１が、ステップＳ１２０３によって送信された各情報収集応答信号に基づいて、基地局１２０１〜１２０３の各セルの各組み合わせについて重複割合を算出する（ステップＳ１２０４）。また、基地局１２０１が、ステップＳ１２０３によって送信された各情報収集応答信号に基づいて、基地局１２０１〜１２０３の各セルの各組み合わせについて干渉度を算出する（ステップＳ１２０５）。
【０１０２】
つぎに、基地局１２０１が、ステップＳ１２０４によって算出された重複割合が閾値以上の組み合わせがあると判断したとする（ステップＳ１２０６）。つぎに、基地局１２０１が、重複割合が閾値以上の組み合わせの中から、ステップＳ１２０５によって算出された干渉度に基づいて自局のセルを被影響側とする組み合わせを選択したとする（ステップＳ１２０７）。つぎに、基地局１２０１が、自局のセルについて省電力制御を実施し（ステップＳ１２０８）、一連の動作を終了する。
【０１０３】
図１３は、通信システムの動作例２を示すシーケンス図である。図１３において、図１２に示した部分と同様の部分については同一の符号を付して説明を省略する。図１３に示すステップＳ１３０１〜Ｓ１３０６は、図１２に示したステップＳ１２０１〜Ｓ１２０６と同様であるため説明を省略する。
【０１０４】
ステップＳ１３０６のつぎに、基地局１２０１が、重複割合が閾値以上の組み合わせの中から、ステップＳ１３０５によって算出された干渉度に基づいて基地局１２０２（他局）のセルを被影響側とする組み合わせを選択したとする（ステップＳ１３０７）。つぎに、基地局１２０１が、省電力制御依頼信号を基地局１２０２へ送信する（ステップＳ１３０８）。つぎに、基地局１２０２が、自局のセルについて省電力制御を実施する（ステップＳ１３０９）。つぎに、基地局１２０２が、省電力制御応答信号を基地局１２０１へ送信し（ステップＳ１３１０）、一連の動作を終了する。
【０１０５】
以上説明したように、制御装置および制御方法によれば、省電力制御に伴うサービス品質の低下を抑えることができる。
【０１０６】
上述した実施の形態に関し、さらに以下の付記を開示する。
【０１０７】
（付記１）送信電力を低下させる電力低下制御を含む省電力制御を基地局に実施させる制御装置において、
複数のセルの重複部分の大きさを示す重複情報を取得する取得部と、
前記取得部によって取得された重複情報に基づいて、前記複数のセルの少なくともいずれかの基地局について前記省電力制御を実施させるか否かを判断し、前記省電力制御を実施させると判断した基地局に前記省電力制御を実施させる制御部と、
を備えることを特徴とする制御装置。
【０１０８】
（付記２）前記省電力制御には、前記電力低下制御を実施させた基地局の送信電力を増加させる電力増加制御が含まれることを特徴とする付記１に記載の制御装置。
【０１０９】
（付記３）前記取得部は、前記複数のセルの各範囲を示す範囲情報を取得し、取得した範囲情報に基づいて前記重複情報を導出することを特徴とする付記１または２に記載の制御装置。
【０１１０】
（付記４）前記取得部は、前記複数のセルに含まれる第一セルにおける、前記複数のセルに含まれ前記第一セルとは異なる第二セルとの重複部分の割合を示す重複情報を取得し、
前記制御部は、前記重複部分の割合に基づいて前記第一セルの基地局に前記省電力制御を実施させるか否かを判断することを特徴とする付記１〜３のいずれか一つに記載の制御装置。
【０１１１】
（付記５）前記取得部は、前記複数のセルのそれぞれを前記第一セルとする複数の前記重複情報を取得し、
前記制御部は、前記複数の重複情報に基づいて前記複数のセルの基地局に前記省電力制御を実施させるか否かを判断することを特徴とする付記４に記載の制御装置。
【０１１２】
（付記６）前記制御部は、前記割合が所定値以上である場合に前記省電力制御を実施させ、前記割合が所定値未満である場合に前記省電力制御を実施させないと判断することを特徴とする付記４または５に記載の制御装置。
【０１１３】
（付記７）前記取得部は、前記複数のセルの間の干渉の大きさを示す干渉情報を取得し、
前記制御部は、前記取得部によって取得された干渉情報および前記重複情報に基づいて前記省電力制御を実施させるか否かを判断することを特徴とする付記１〜６のいずれか一つに記載の制御装置。
【０１１４】
（付記８）前記取得部は、前記複数のセルの各基地局の各送信電力を示す電力情報を取得し、取得した電力情報に基づいて前記干渉情報を導出することを特徴とする付記７に記載の制御装置。
【０１１５】
（付記９）前記取得部は、前記複数のセルの各基地局の各送信周波数を示す周波数情報を取得し、取得した周波数情報に基づいて前記干渉情報を導出することを特徴とする付記７または８に記載の制御装置。
【０１１６】
（付記１０）前記取得部は、前記複数のセルに含まれる第一セルからの、前記複数のセルに含まれ前記第一セルとは異なる第二セルへの干渉の大きさを示す干渉情報を取得し、
前記制御部は、前記干渉情報に基づいて前記第一セルの基地局に前記省電力制御を実施させるか否かを判断することを特徴とする付記７〜９のいずれか一つに記載の制御装置。
【０１１７】
（付記１１）前記取得部は、前記複数のセルのそれぞれを前記第一セルとする複数の前記干渉情報を取得し、
前記制御部は、前記複数の干渉情報に基づいて前記複数のセルの基地局に前記省電力制御を実施させるか否かを判断することを特徴とする付記１０に記載の制御装置。
【０１１８】
（付記１２）前記制御部は、前記干渉の大きさが所定値以下である場合に前記省電力制御を実施させ、前記干渉の大きさが所定値より高い場合に前記省電力制御を実施させないことを特徴とする付記１０または１１に記載の制御装置。
【０１１９】
（付記１３）前記制御部は、前記複数のセルの中から他セルに与える干渉の大きさが最小のセルを選択し、選択したセルの基地局に前記省電力制御を実施させると判断することを特徴とする付記１０または１１に記載の制御装置。
【０１２０】
（付記１４）前記複数のセルのうちのいずれかのセルの基地局に設けられることを特徴とする付記１〜１３のいずれか一つに記載の制御装置。
【０１２１】
（付記１５）前記制御部は、前記複数のセルのうちのいずれかのセルへの移動局の接続数に基づいて前記省電力制御を実施させるか否かを判断することを特徴とする付記１〜１４のいずれか一つに記載の制御装置。
【０１２２】
（付記１６）前記制御部は、前記接続数が所定値より低い場合は前記重複情報に基づいて前記電力低下制御を実施させるか否かを判断し、前記接続数が前記所定値以上である場合は前記電力低下制御を実施させないと判断することを特徴とする付記１５に記載の制御装置。
【０１２３】
（付記１７）前記省電力制御には、前記電力低下制御を実施させた基地局の送信電力を増加させる電力増加制御が含まれ、
前記制御部は、前記接続数が所定値より高い場合は前記電力増加制御を実施させると判断し、前記接続数が前記所定値以下である場合は前記電力増加制御を実施させないと判断することを特徴とする付記１５または１６に記載の制御装置。
【０１２４】
（付記１８）前記複数のセルは、互いに通信方式が異なるセルであることを特徴とする付記１〜１７のいずれか一つに記載の制御装置。
【０１２５】
（付記１９）送信電力を低下させる電力低下制御を含む省電力制御を基地局に実施させる制御装置において、
複数のセルの間の干渉の大きさを示す干渉情報を取得する取得部と、
前記取得部によって取得された干渉情報に基づいて、前記複数のセルの少なくともいずれかの基地局について前記省電力制御を実施させるか否かを判断し、前記省電力制御を実施させると判断した基地局に前記省電力制御を実施させる制御部と、
を備えることを特徴とする制御装置。
【０１２６】
（付記２０）送信電力を低下させる電力低下制御を含む省電力制御を基地局に実施させる制御方法において、
複数のセルの重複部分の大きさを示す重複情報を取得し、
取得された重複情報に基づいて、前記複数のセルの少なくともいずれかの基地局について前記省電力制御を実施させるか否かを判断し、前記省電力制御を実施させると判断した基地局に前記省電力制御を実施させることを特徴とする制御方法。
【０１２７】
（付記２１）送信電力を低下させる電力低下制御を含む省電力制御を基地局に実施させる制御方法において、
複数のセルの間の干渉の大きさを示す干渉情報を取得し、
取得された干渉情報に基づいて、前記複数のセルの少なくともいずれかの基地局について前記省電力制御を実施させるか否かを判断し、前記省電力制御を実施させると判断した基地局に前記省電力制御を実施させることを特徴とする制御方法。
【符号の説明】
【０１２８】
１００，２００  通信システム
１１１，１１２，２１１〜２１３，２２１〜２２３，３００，１２０１〜１２０３  基地局
１２１，１２２，２１４〜２１６，２２４〜２２６  セル
１２３  重複部分
１３０  制御装置
１３１  取得部
１３２  制御部
２０１  コアネットワーク
２１０，２２０  移動通信システム
３１０  交換機側インターフェース部
３２０  交換機側プロトコル終端部
３３０  無線側プロトコル変換部
３４０  無線側インターフェース部
３５０  呼制御部
３６０  省電力制御部
３６１  実施判断部
３６２  情報収集／提供部
３６３  省電力制御実施部
１０００，１１００  テーブル
Ｔ１，Ｔ２  所定値
【図１】
0005655509.tif 000002
【図２】
0005655509.tif 000003
【図３】
0005655509.tif 000004
【図４】
0005655509.tif 000005
【図５】
0005655509.tif 000006
【図６】
0005655509.tif 000007
【図７】
0005655509.tif 000008
【図８】
0005655509.tif 000009
【図９】
0005655509.tif 000010
【図１０】
0005655509.tif 000011
【図１１】
0005655509.tif 000012
【図１２】
0005655509.tif 000013
【図１３】
0005655509.tif 000014